【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
無線通信リンク上で、送信機から受信機に、適応符号化・変調（ＡＣＭ）を使用して、可変のデータ転送速度でデータを送信すること、
前記受信機から前記送信機にフィードバックされるフィードバック情報と、前記データを符号化および変調するためのフォーワード誤り訂正（ＦＥＣ）符号および変調方式を規定するＡＣＭプロファイルと、に基づく選択によって、前記データを送信する前記可変のデータ転送速度を設定すること、および
前記フィードバック情報が使用不可能であることを検出したとき、前記フィードバックとは独立に前記送信機の動作を変更することを備える通信方法。
【請求項２】
前記フィードバック情報は、前記受信機によって評価される受信品質測定基準を含む請求項１に記載の方法。
【請求項３】
前記受信品質測定基準は、受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）、フレーム誤り率（ＦＥＲ）、および前記ＦＥＣの復号化処理で生成された測定基準からなる測定基準のグループから選択された、少なくとも１つの測定基準を含む請求項２に記載の方法。
【請求項４】
前記送信機の動作を変更することは、現在選択されているＡＣＭプロファイルに対して改善されたリンク・バジェットを規定するＦＥＣ符号および変調方式のＡＣＭプロファイルに切り替えること含む請求項１に記載の方法。
【請求項５】
前記データ転送速度を設定することは、使用可能なＡＣＭプロファイルの所定のセットから前記ＡＣＭプロファイルを選択することを含み、前記改善されたリンク・バジェットを有する前記ＡＣＭプロファイルは、前記使用可能なＡＣＭプロファイルの間で、最も高いリンク・バジェットを有するＡＣＭプロファイルを含む請求項４に記載の方法。
【請求項６】
前記データ転送速度を設定することは、使用可能なＡＣＭプロファイルの所定のセットから前記ＡＣＭプロファイルを選択することを含み、前記改善されたリンク・バジェットを有する前記ＡＣＭプロファイルは、前記使用可能なＡＣＭプロファイルの間で、次に高いリンク・バジェットを有するＡＣＭプロファイルを含む請求項４に記載の方法。
【請求項７】
前記改善されたリンク・バジェットを有する前記ＡＣＭプロファイルに切り替えることは、徐々に改善されるリンク・バジェットを有するＡＣＭプロファイルに、段階的に切り替えること含む請求項４に記載の方法。
【請求項８】
前記データ転送速度を設定することは、ＡＣＭを使用するフィードバック通信リンク上で、前記受信機から前記送信機へフィードバック情報を送信することを含み、前記送信機の動作を変更することは、前記フィードバック通信リンク内で現在選択されているＡＣＭプロファイル対して改善されたリンク・バジェットを有するＡＣＭプロファイルを使用して前記送信機へ前記フィードバック情報を送信するように、前記受信機に要求を送信することを含む請求項１に記載の方法。
【請求項９】
前記無線通信リンクは、マイクロ波リンクまたはミリメートル波リンクの１つを含む請求項１に記載の方法。
【請求項１０】
前記データは、第１の時間間隔において、前記送信機から前記受信機に送信され、前記フィードバック情報は、前記第１の時間間隔とはオーバーラップしない第２の時間間隔において、前記受信機から前記送信機にフィードバックされる請求項１に記載の方法。
【請求項１１】
前記データは、第１の無線周波数において、前記送信機から前記受信機に送信され、前記フィードバック情報は、前記第１の無線周波数とは異なる第２の無線周波数において、前記受信機から前記送信機にフィードバックされる請求項１に記載の方法。
【請求項１２】
前記通信リンクは、ポイント・トゥ・マルチポイントシステム内の複数の通信リンクの１つであり、前記フィードバック情報が使用不可能であることを検出すること、および前記送信機の動作を変更することは、前記複数の通信リンク内の通信リンクの各々において、独立に実行される請求項１に記載の方法。
【請求項１３】
前記通信リンクは、ポイント・トゥ・マルチポイントシステム内の複数の通信リンクの１つであり、前記通信リンクの１つ以上からの前記フィードバック情報が使用不可能であることを検出したとき、前記送信機の動作を変更することは、前記複数の通信リンク内において、連帯して実行される請求項１に記載の方法。
【請求項１４】
適応符号化・変調（ＡＣＭ）を使用する双方向の無線通信リンクの第１および第２の対向する方向において、第１および第２の個別の可変のデータ転送速度での通信により、第１および第２の通信システムの間でデータを交換することであって、前記個別の可変のデータ転送速度は、第１および第２の個別のＡＣＭプロファイルによって決定され、前記個別のＡＣＭプロファイルは、前記データを符号化および変調するためのフォーワード誤り訂正（ＦＥＣ）符号および変調方式を規定する、データ交換をすること、
前記第１および第２の方向の動作に対する接続制約を規定すること、
前記双方向の無線通信リンクの前記第１および第２の方向の受信品質測定基準を、個別に測定すること、および
前記第１および第２の方向の動作が前記接続制約と一致するように、前記第１および第２の方向の受信品質測定基準に基づいて、前記第１および第２のＡＣＭプロファイルを設定することを備える通信方法。
【請求項１５】
前記第１および第２の可変のデータ転送速度で通信することは、個別のＦＥＣ符号および変調方式を規定する使用可能なＡＣＭプロフィルの所定のセットから、前記第１および第２のＡＣＭプロフィルを選択することを含む請求項１４に記載の方法。
【請求項１６】
前記受信品質測定基準は、受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）、フレーム誤り率（ＦＥＲ）、および前記ＦＥＣの復号化処理で生成された測定基準からなる測定基準タイプのグループから選択された、少なくとも１つの測定基準タイプを含む請求項１４に記載の方法。
【請求項１７】
前記接続制約は、前記第１のＡＣＭプロファイルが、前記第２のＡＣＭプロファイルと等しいことを特定する請求項１４に記載の方法。
【請求項１８】
前記接続制約は、前記通信リンクの第１および第２の方向の両方が、所定の品質サービスの（Ｑ〇Ｓ）レベルに一致することを特定する請求項１４に記載の方法。
【請求項１９】
前記第１および第２のＡＣＭプロファイルを設定することは、
前記第１の通信システムによって前記第１および第２のＡＣＭプロファイルを選択すること、および
前記選択されたＡＣＭプロファイルを設定するために、前記第１の通信システムによって前記第２の通信システムに指示することを含む請求項１４に記載の方法。
【請求項２０】
前記第１および第２のＡＣＭプロファイルを設定することは、
前記第１の通信システムによって、前記第１のＡＣＭプロファイルを選択すること、
前記第２の通信システムによって、選択された前記第１のＡＣＭプロファイルを検出すること、および
前記第２の通信システムによって、前記第１のＡＣＭプロファイルに対して応答可能な前記第２のＡＣＭプロファイルを、前記接続制約と一致するように選択することを含む請求項１４に記載の方法。
【請求項２１】
前記通信リンクは、ポイント・トゥ・マルチポイントシステム内の複数の双方向の通信リンクの１つであり、前記接続制約は、前記複数内の通信リンクの第１および第２方向の動作上で規定され、ＡＣＭプロファイルを設定することは、前記複数内の通信リンクの第１および第２方向のＡＣＭプロファイルを前記接続制約に一致するように設定することを含む請求項１４に記載の方法。
【請求項２２】
前記通信リンクの第１の方向で交換されるデータは、第１の無線周波数で送信され、前記通信リンクの第２の方向で交換されるデータは、前記第１の無線周波数とは異なる第２の無線周波数で送信される請求項１４に記載の方法。
【請求項２３】
無線通信リンク上において、適応符号化・変調（ＡＣＭ）を使用して、可変のデータ転送速度で、遠隔受信機にデータを送信するように構成された送信機と、
前記データを送信する前記可変のデータ転送速度を、選択によって設定するように構成されたコントローラであって、該コントローラの選択は、前記遠隔受信機からフィードバックされるフィードバック情報、および前記データを符号化および変調をするためのフォーワード誤り訂正（ＦＥＣ）符号および変調方式を規定するＡＣＭプロファイルに基づき、かつ前記フィードバック情報が使用不可能であることが検出されたとき、前記フィードバックとは独立に、前記送信機の動作を変更するように構成されたコントローラと、を備える通信システム。
【請求項２４】
第１および第２の対向する方向を有する双方向の無線通信リンクであって、
前記双方向の無線通信リンクは、個別の第１および第２の適応符号化・変調（ＡＣＭ）プロファイルで決定される第１および第２の可変のデータ転送速度で通信することで、前記第１および第２の方向においてデータを交換するように構成された第１および第２の通信システムを含み、
個別のＡＣＭプロファイルは、前記データを符号化および変調をするためのフォーワード誤り訂正（ＦＥＣ）符号および変調方式を規定することで、前記第１および第２の方向において第１および第２の受信品質測定基準を個別に測定させ、前記第１および第２の測定された受信品質測定基準に基づき前記第１および第２のＡＣＭプロファイルを設定するようにして、前記第１および第２の方向の動作上で規定された接続制約と一致するように、前記第１および第２の方向の動作を生じさせる、双方向の無線通信リンク。
【請求項２５】
無線チャネル上でデータを送信するように構成された送信機、および送信された前記データを受信するように構成された受信機を含む通信リンクであって、
前記送信機および前記受信機は、前記データを符号化および変調するために前記送信機および前記受信機の両方によって支援される、個別のフォーワード誤り訂正（ＦＥＣ）符号および変調方式を特定する使用可能な適応符号化・変調（ＡＣＭ）プロファイルのセットの規定を受諾し、前記使用可能なＡＣＭプロファイルのセット以外のＡＣＭプロファイルの任意のサブセットを一時的に使用不可能にし、および使用不可能でない前記ＡＣＭプロファイルだけを選択することで可変のデータ転送速度で通信するように構成された、通信リンク。
【請求項２６】
無線チャネル上において、適応符号化・変調（ＡＣＭ）プロファイルの選択によって、可変のデータ転送速度でデータを送信するように構成された第１の通信システムであって、前記ＡＣＭプロファイルは、前記データを符号化および変調をするために、フォーワード誤り訂正（ＦＥＣ）符号および変調方式を規定する、第１の通信システムと、
前記データを受信するように構成された第２の通信システムと、を備えた通信リンクであって、
前記第１の通信システムおよび前記第２の通信システムは、指示メッセージを交換することで選択された前記ＡＣＭプロファイルを調整するように構成され、前記第１の通信システムおよび前記第２の通信システムが前記指示メッセージを交換することが期待される時間間隔を特定する許可メッセージを交換し、かつ前記許可メッセージ内に特定された時間間隔の間に受信したときだけ、交換された前記指示メッセージを有効と評価するように構成された、通信リンク。
【請求項２７】
無線チャネル上において、適応符号化・変調（ＡＣＭ）プロファイルの選択によって、可変のデータ転送速度でデータを送信するように構成された第１の通信システムであって、前記ＡＣＭプロファイルは、前記データを符号化および変調をするために、フォーワード誤り訂正（ＦＥＣ）符号および変調方式を規定する、第１の通信システムと、
前記データを受信するように構成された第２の通信システムと、を備えた通信リンクであって、
前記第１の通信システムおよび前記第２の通信システムは、指示メッセージを交換することで選択された前記ＡＣＭプロファイルを調整するように構成され、使用可能なＡＣＭプロファイルのペア間での適法な遷移のセットの規定を受諾し、かつ現在使用中のＡＣＭプロファイルから前記指示メッセージ内で指示されたＡＣＭプロファイルへの遷移が、前記適法な遷移の１つを含むときだけ、前記指示メッセージを有効と評価するように構成された、通信リンク。